(57)【要約】【課題】この発明は、冷却ファンの起動時における騒音の低減化が図れる液晶プロジェクタを提供することを目的とする。【解決手段】液晶プロジェクタにおいて、冷却ファンが停止状態であるか回転状態であるかを検出するための検出手段、冷却ファン起動時において、冷却ファンへの印加電圧を徐々に上昇させていく第１制御手段、および第１制御手段によって冷却ファンへの印加電圧を徐々に上昇させている過程において、検出手段によって冷却ファンが回転したことが検出されたときには、冷却ファンへの印加電圧を予め定められた通常動作電圧に設定する第２制御手段を備えている。【選択図】  図１
2004309642.tif 000002
【特許請求の範囲】
【請求項１】
冷却ファンが停止状態であるか回転状態であるかを検出するための検出手段、
冷却ファン起動時において、冷却ファンへの印加電圧を徐々に上昇させていく第１制御手段、および
第１制御手段によって冷却ファンへの印加電圧を徐々に上昇させている過程において、検出手段によって冷却ファンが回転したことが検出されたときには、冷却ファンへの印加電圧を予め定められた通常動作電圧に設定する第２制御手段、
を備えていることを特徴とする液晶プロジェクタ。
【発明の詳細な説明】
【０００１】
【発明の属する技術分野】
この発明は、液晶プロジェクタに関する。
【０００２】
【従来の技術】
液晶プロジェクタの光源としては、メタルハライドランプ、超高圧水銀ランプ等が使用されている。これらのランプは駆動時には非常に高温となるため、液晶プロジェクタには、一般に、冷却用のファンが用いられている。
【０００３】
冷却ファンは、騒音の発生源となっており、近年の静音化の流れの中、ファンを動作保証電圧（ファンが一旦回転せしめられてから、回転を維持できる最低電圧）の下限付近で動作させて、回転数を極力下げた状態でファンを運転することにより、ファンから発生する騒音を抑えている。
【０００４】
しかしながら、停止状態からファンを回転駆動させるために必要な最低電圧（ファン起動用最低電圧）は動作保証電圧より高いため、液晶プロジェクタの電源投入時には、動作保証電圧より高いファン起動用最低電圧をファンに印加し、ファンが起動した後に印加電圧を下げて静音化を図っている。このため、通常動作時にはファンによる騒音が小さいが、起動時には大きな騒音が発生するという問題がある。
【０００５】
なお、仕様で定められているファン起動用最低電圧は、実際に冷却ファンが停止されている状態から回転駆動するのに必要な電圧よりも高い電圧に設定されているため、実際は仕様で定められているファン起動用最低電圧より低い電圧によってファンは起動する。
【０００６】
【発明が解決しようとする課題】
この発明は、冷却ファンの起動時における騒音の低減化が図れる液晶プロジェクタを提供することを目的とする。
【０００７】
【課題を解決するための手段】
この発明による液晶プロジェクタは、冷却ファンが停止状態であるか回転状態であるかを検出するための検出手段、冷却ファン起動時において、冷却ファンへの印加電圧を徐々に上昇させていく第１制御手段、および第１制御手段によって冷却ファンへの印加電圧を徐々に上昇させている過程において、検出手段によって冷却ファンが回転したことが検出されたときには、冷却ファンへの印加電圧を予め定められた通常動作電圧に設定する第２制御手段を備えていることを特徴とする。
【０００８】
【発明の実施の形態】
以下、図面を参照して、この発明の実施の形態について説明する。
【０００９】
図１は、液晶プロジェクタに設けられた冷却ファンの制御回路を示している。
【００１０】
ＣＰＵ１は、そのプログラム等を記憶するＲＯＭ（図示略）、必要なデータを記憶するＲＡＭ（図示略）を備えている。ファン電圧制御回路２は、ＣＰＵ１からの制御信号に基づいて冷却ファン３の駆動電圧を制御する。ＣＰＵ１には、操作部（リモコン、本体側操作部）４からの操作信号が入力される。
【００１１】
冷却ファン３は、ファンが停止している状態であるかファンが回転している状態であるかを示す信号を出力する機能を備えている。冷却ファン３は、アース端子Ｐ１、電圧印加端子Ｐ２およびＬＯＣＫセンサ端子Ｐ３を備えている。アース端子Ｐ１は接地されている。電圧印加端子Ｐ２は、ファン電圧制御回路２の出力端子に接続されている。
【００１２】
ＬＯＣＫセンサ端子Ｐ３は、ファンが停止している状態であるかファンが回転している状態であるかを示す信号を出力するための端子である。ファンが停止している状態においては、ＬＯＣＫセンサ端子Ｐ３の電位はＨｉレベルの電位に保たれている。ファンが回転している状態においては、ＬＯＣＫセンサ端子Ｐ３の電位は、Ｌｏレベルの電位に保持されている。
【００１３】
ＬＯＣＫセンサ端子Ｐ３には、ファン停止／回転判別回路１０が接続されている。ファン停止／回転判別回路１０は、抵抗Ｒ１〜Ｒ４およびスイッチング・トランジスタＴＲ１を備えている。
【００１４】
第１の直流電源Ｖｃ１は、抵抗Ｒ１を介してＬＯＣＫセンサ端子Ｐ３に接続されているとともに、抵抗Ｒ１と、抵抗Ｒ２，Ｒ３からなるバイアス回路を介してスイッチング・トランジスタＴＲ１のベースに接続されている。第２の直流電源Ｖｃ２は、抵抗Ｒ４を介して、スイッチング・トランジスタＴＲ１のコレクタに接続されている。スイッチング・トランジスタＴＲ１のエミッタは接地されている。ＣＰＵ１には、スイッチング・トランジスタＴＲ１のコレクタ端子の電圧に応じたファン停止／回転判別信号が入力される。
【００１５】
冷却ファン３のファンが停止しているときには、ＬＯＣＫセンサ端子Ｐ３の電位はＨｉレベルとなっているため、第１の直流電源Ｖｃ１から、抵抗Ｒ１、抵抗Ｒ２，Ｒ３からなるバイアス回路を介してスイッチング・トランジスタＴＲ１のベースに電流が流れる。このため、スイッチング・トランジスタＴＲ１がオンとなり、ファン停止／回転判別信号はＬｏレベルとなる。
【００１６】
一方、冷却ファン３のファンが回転しているときには、ＬＯＣＫセンサ端子Ｐ３の電子はＬｏレベルとなっているため、第１の直流電源Ｖｃ１から、ＬＯＣＫセンサ端子Ｐ３に電流が流れるため、スイッチング・トランジスタＴＲ１がオフとなり、ファン停止／回転判別信号はＨｉレベルとなる。
【００１７】
この実施の形態では、ＣＰＵ１は、冷却ファン３の起動時、つまり、液晶プロジェクタの電源ＯＮ時（時点ｔ１）には、冷却ファン３への印加電圧（ファン電圧）が図３に実線ａのように変化するように、ファン電圧制御回路２を制御する。つまり、冷却ファン起動時において、冷却ファンへの印加電圧を徐々に上昇させていき、その過程において冷却ファンが回転したことが検出されたときには（時点ｔ２）、冷却ファンへの印加電圧を予め定められた通常動作電圧に設定する。
【００１８】
図２は、ＣＰＵ１によるファン電圧制御処理手順を示している。
【００１９】
液晶プロジェクタの電源がＯＮ（セット電源ＯＮ）されると（ステップ１）、ファン電圧が徐々に上昇するように、ファン電圧制御回路２への制御値を所定時間間隔毎に１ステップずつ上げる（ステップ２）。そして、制御値が１ステップ大きくされる毎に、ファン停止／回転判別信号に基づいて、冷却ファン３のファンが起動（回転）したか否かを判別する（ステップ３）。
【００２０】
このようにして、ファン電圧制御回路２から出力されるファン電圧が徐々に上昇されている過程において、冷却ファン３のファンが起動（回転）したことを検出さると（ステップ３でＹＥＳ）、ファン電圧が予め定められた通常動作電圧（動作保証電圧の下限付近に設定されている）Ｖｍとなるように、ファン電圧制御回路２への制御値を通常動作電圧に対応した制御値に設定する（ステップ４）。これにより、ファン電圧制御回路２から出力されるファン電圧が予め定められた通常動作電圧となる。
【００２１】
なお、図３の破線ｂは、液晶プロジェクタの電源ＯＮ時の従来のファン電圧の変化を示している。つまり、従来においては、液晶プロジェクタの電源がＯＮ（セット電源ＯＮ）されると、ファン電圧が仕様で定められているファン起動用最低電圧Ｖｈとなるようにファン電圧制御回路が制御され、一定時間経過後にファン電圧が通常動作電圧Ｖｍとなるようにファン電圧制御回路が制御される。
【００２２】
上述したように、仕様で定められているファン起動用最低電圧Ｖｈ（図３参照）は、実際に冷却ファンが停止されている状態から回転駆動するのに必要な電圧よりも高い電圧に設定されているため、この実施の形態で示したファン電圧制御によれば、仕様で定められているファン起動用最低電圧Ｖｈより低い電圧で冷却ファン３を起動させることができる。
【００２３】
したがって、この実施の形態では、従来に比べて、冷却ファン３の起動時に冷却ファン３に印加される電圧を低くすることができ、冷却ファン３による騒音を低減化させることができる。
【００２４】
【発明の効果】
この発明によれば、冷却ファンの起動時における騒音の低減化が図れるようになる。
【図面の簡単な説明】
【図１】液晶プロジェクタに設けられた冷却ファンの制御回路を示すブロック図である。
【図２】ＣＰＵ１によるファン電圧制御処理手順を示すフローチャートである。
【図３】冷却ファンの起動時におけるファン電圧の変化を示すグラフである。
【符号の説明】
１  ＣＰＵ
２  ファン電圧制御回路
３  冷却ファン
４  操作部
１０  ファン停止／回転判別回路
【図１】
2004309642.tif 000003
【図２】
2004309642.tif 000004
【図３】
2004309642.tif 000005
【手続補正書】
【提出日】平成16年3月30日(2004.3.30)
【手続補正１】
【補正対象書類名】図面
【補正対象項目名】図２
【補正方法】変更
【補正の内容】
【図２】
2004309642.tif 000006